(57)【要約】【課題】  新設又は既設のスレート屋根に太陽電池モジュール、緑化ベース等の屋根載置物を据付設置できるようにする。【解決手段】  スレート屋根２上に突出している屋根材の葺設に用いたフックボルト２１のボルト軸にかぶせボルト１を被嵌螺装して、このかぶせボルト１又はこれに螺装した重ねボルト３を固定ベースとして、支持部材５を屋根２上に設置し、これに屋根設置物を据付設置する。かぶせボルト１は、フックボルト２１を受入れるボルト頭１１からボルト軸１２に貫通孔１３を設けて、その内面にフックボルト２１螺装用の雌ネジを配置してあり、また、既設の場合に見られるフックボルト２１の発錆腐食に対応して被嵌螺装をなし得るようにボルト頭１１からボルト軸１２の長手方向中間位置に至るかぶせボルト１の拡開用に複数のスリット１５を配置してある。【選択図】  図４
2013053410.tif 000002
【特許請求の範囲】
【請求項１】
ボルトナット締着によって屋根材を葺設した折板、スレート等の屋根上に太陽電池モジュール、緑化ベース等の屋根設置物を据付設置するに用いるかぶせボルトであって、上記ボルトナットの屋根材上突出のボルト軸を内周に雌ネジ配置の貫通孔に被嵌螺装し且つ外周配置の雄ネジによって屋根設置物の支持部材を締着固定自在としてなることを特徴とする屋根設置物据付用かぶせボルト。
【請求項２】
上記かぶせボルトを、ボルト頭とボルト軸を備えて形成し該ボルト頭とボルト軸に上記貫通孔を一連に配置してなることを特徴とする請求項１に記載の屋根設置物据付用かぶせボルト。
【請求項３】
上記ボルト頭からボルト軸長手方向中間位置に至るように被嵌螺装の拡開用のスリットを配置してなることを特徴とする請求項２に記載の屋根設置物据付用かぶせボルト。
【請求項４】
上記スリットを、ボルト頭の周方向に複数配置してなることを特徴とする請求項３に記載の屋根設置物据付用かぶせボルト。
【請求項５】
請求項１乃至請求項４のいずれかの屋根設置物据付用かぶせボルトを用い、該かぶせボルトを、その貫通孔に屋根材を葺設したボルトナット締着の屋根材上突出のボルト軸を被嵌螺装し且つ外周配置の雄ネジとこれに螺装した固定ナットによって支持部材を締着固定して、該支持部材に直接又は固定金具を介して屋根設置物を据付設置してなることを特徴とする折板、スレート等屋根の屋根設置物据付構造。
【発明の詳細な説明】
【技術分野】
【０００１】
本発明は、フックボルトによって屋根材を葺設した折板、スレート等の屋根に屋根設置物を設置するに用いる屋根設置物据付用かぶせボルトに関し、また該かぶせボルトを用いた折板、スレート等屋根の屋根設置物据付構造に関する。
【背景技術】
【０００２】
陸屋根、切妻屋根等の各種屋根に太陽電池モジュールや緑化ベース等の屋根設置物を設置することが一般的になされているところ、例えば工場や倉庫の建屋には、ボルトとナットの締着によって屋根材を葺設した折板屋根や、フックボルトとナットの締着によって屋根材を葺設したスレート屋根等の、一般に片流れ屋根が用いられることが多く、屋根面積が広く、従って、例えば太陽電池モジュールや緑化ベース等の設置に適しているが、このスレート等の屋根は、屋根材が一般に波板であって凹凸面をなしていること、屋根材はボルトとナットの締着、フックボルトとナットの締着によって屋根構造材に固定された単層のものであることから、屋根設置物の安定した据付には困難が予想され、このため、一般に折板、スレート等の屋根に対して屋根設置物を設置することは無理と考えられている。一方、下記特許文献１は、折板、スレート等の屋根、特にスレート屋根に太陽電池モジュールを据付するようにした、数少ない先行文献であるところ、これによると、幅方向両側に水切り脚片を有する支持材に太陽電池モジュールを固定するとともに支持材長手方向に複数のテンション材を固定垂下し、該テンション材をスレート屋根に透設した透孔を介して屋根構造材に固定して、支持材の水切り脚片をスレート屋根の波板谷間に載置するようにして、スレート屋根に太陽電池モジュールを据付するものとされる。
【先行技術文献】
【特許文献】
【０００３】
【特許文献１】特開平１０−１３１４４２号公報
【発明の概要】
【発明が解決しようとする課題】
【０００４】
この場合、折板、スレート等、特にスレートの屋根に太陽電池モジュールや緑化ベースの屋根設置物を据付設置することが一応可能になるものと認められるが、テンションを掛けて屋根設置物を据付設置するものとされるから、テンションの張力維持が必要であり、そのための構造が複雑化する可能性がある上、長期に亘る据付設置における耐久性を確保する上では不安が残ることになり、また、屋根設置物の据付設置のために上記スレート屋根に透孔を透設する必要があるから、そのための雨仕舞措置が必要となり、据付設置工事が煩雑化する可能性も残されている。
【０００５】
本発明はかかる事情に鑑みてなされたもので、その解決課題とするところは、この種の折板、スレート等の屋根に屋根設置物を可及的簡易に安定且つ確実に据付設置し得るようにした据付部材としてのかぶせボルトを提供するにあり、また、これを用いた折板、スレート等屋根の屋根設置物据付構造を提供するにある。
【課題を解決するための手段】
【０００６】
上記課題に沿って本発明は、この種の折板、スレート等の屋根には、その葺設に用いたボルトやフックボルトのボルト軸が屋根材上に突出していることに着目し、この突出したボルト軸を屋根設置物を据付する屋根側設置部位として、該ボルト軸を被嵌螺装するかぶせボルトを配置し、このかぶせボルトによって支持部材を締着固定することによって、屋根設置物の据付設置を行うようにしたものであって、即ち、請求項１に記載の発明を、ボルトナット締着によって屋根材を葺設した折板、スレート等の屋根上に太陽電池モジュール、緑化ベース等の屋根設置物を据付設置するに用いるかぶせボルトであって、上記ボルトナットの屋根材上突出のボルト軸を内周に雌ネジ配置の貫通孔に被嵌螺装し且つ外周配置の雄ネジによって屋根設置物の支持部材を締着固定自在としてなることを特徴とする屋根設置物据付用かぶせボルトとしたものである。
【０００７】
請求項２に記載の発明は、上記に加えて、上記ボルトやフックボルトの突出したボルト軸に対する被嵌螺装を容易化し且つ上記支持部材の締着固定の確実化をなし得るようにボルト頭を備えて上記被嵌螺装に適したかぶせボルトとするように、これを、上記かぶせボルトを、ボルト頭とボルト軸を備えて形成し該ボルト頭とボルト軸に上記貫通孔を一連に配置してなることを特徴とする請求項１に記載の屋根設置物据付用かぶせボルトとしたものである。
【０００８】
請求項３に記載の発明は、同じく上記に加えて、ボルトやフックボルトの突出したボルト軸に発錆や部分腐食のある場合にも、該ボルトやフックボルトに対するかぶせボルトの被嵌螺装を容易且つ確実になし得るものとするように、これを、上記ボルト頭からボルト軸長手方向中間位置に至るように被嵌螺装の拡開用のスリットを配置してなることを特徴とする請求項２に記載の屋根設置物据付用かぶせボルトとしたものである。
【０００９】
請求項４に記載の発明は、同じく上記に加えて、上記ボルトやフックボルトの突出したボルト軸の状況如何に拘わらず、上記スリットによるかぶせボルトの被嵌螺装を可及的容易且つ確実になし得るものとするように、これを、上記スリットを、ボルト頭の周方向に複数配置してなることを特徴とする請求項３に記載の屋根設置物据付用かぶせボルトとしたものである。
【００１０】
請求項５に記載の発明は、上記かぶせボルトを用いた折板、スレート等屋根の屋根設置物据付構造を提供するように、これを、  請求項１乃至請求項４のいずれかの屋根設置物据付用かぶせボルトを用い、該かぶせボルトを、その貫通孔に屋根材を葺設したボルトナット締着の屋根材上突出のボルト軸を被嵌螺装し且つ外周配置の雄ネジとこれに螺装した固定ナットによって支持部材を締着固定して、該支持部材に直接又は固定金具を介して屋根設置物を据付設置してなることを特徴とする折板、スレート等屋根の屋根設置物据付構造としたものである。
【００１１】
本発明はこれらをそれぞれ発明の要旨として、上記課題解決の手段としたものである。
【発明の効果】
【００１２】
本発明は以上のとおりに構成したから、請求項１に記載の発明は、この種のスレート等の屋根におけるその葺設に用いて屋根材上に突出したボルトやフックボルトのボルト軸を屋根設置物を据付する屋根側設置部位として、該ボルト軸を被嵌螺装するかぶせボルトを配置し、このかぶせボルトによって支持部材を締着固定して、屋根設置物の据付を可能とすることにより、この種の折板、スレート等の屋根に屋根設置物を可及的簡易に安定且つ確実に据付設置し得るようにした据付部材としてのかぶせボルトを提供することができる。
【００１３】
請求項２に記載の発明は、上記に加えて、上記ボルトやフックボルトの突出したボルト軸に対する被嵌螺装を容易化し且つ上記支持部材の締着固定の確実化をなし得るようにボルト頭を備えて上記被嵌螺装に適したかぶせボルトとすることができる。
【００１４】
請求項３に記載の発明は、同じく上記に加えて、ボルトやフックボルトの突出したボルト軸に発錆や部分腐食のある場合にも、該ボルトやフックボルトに対するかぶせボルトの被嵌螺装を容易且つ確実になし得るものとすることができる。
【００１５】
請求項４に記載の発明は、同じく上記に加えて、上記ボルトやフックボルトの突出したボルト軸の状況如何に拘わらず、上記スリットによるかぶせボルトの被嵌螺装を可及的容易且つ確実になし得るものとすることができる。
【００１６】
請求項５に記載の発明は、上記かぶせボルトを用いた折板、スレート等屋根の屋根設置物据付構造を提供することができる。
【図面の簡単な説明】
【００１７】
【図１】かぶせボルトとフックボルトの関係を示す斜視図である。
【図２】かぶせボルトの側面図である。
【図３】かぶせボルトのボルト頭側の平面図である。
【図４】かぶせボルトの使用状態を示す屋根断面図である。
【図５】支持部材の底面図である。
【図６】支持部材の正面図である。
【図７】支持部材の側面図である。
【図８】図１に支持部材を追加した状態を示す斜視図である。
【発明を実施するための形態】
【００１８】
以下図面の例に従って本発明を更に具体的に説明すれば、１はかぶせボルトであり、該かぶせボルト１は、ボルトナット締着、本例にあってはフックボルト２１とナットの締着によって屋根材を葺設した折板、スレート等屋根、本例にあってはスレート屋根２上に太陽電池モジュール、緑化ベース等の屋根設置物を据付設置するに用いるものとして、上記フックボルト２１の屋根材上突出のボルト軸を内周に雌ネジ配置の貫通孔１３に被嵌螺装し且つ外周配置の雄ネジ１４によって屋根設置物の支持部材５を締着固定自在としたものとしてある。
【００１９】
本例にあって、上記かぶせボルト１は、これを、ボルト頭１１とボルト軸１２を備えて形成し該ボルト頭１１とボルト軸１２に上記貫通孔１３を一連に配置したものとしてあり、このとき、上記ボルト頭１１からボルト軸１２長手方向中間位置に至るように被嵌螺装の拡開用のスリット１５を配置したものとしてある。
【００２０】
本例のかぶせボルト１は、ボルト頭１１とボルト軸１２を備えるとともに、上記ボルト頭１１をリング状とし、ボルト軸１２を中空とするように、かぶせボルト１の長手方向に貫通孔１３を透設するとともに該貫通孔１３の内面に、フックボルト２１のボルト軸の雄ネジに応じた雌ネジを配置したものとしてあり、本例の雌ネジは、例えばボルト頭１１からボルト軸１２の全長に至るように配置してあり、これによって本例のかぶせボルト１は、例えば、ボルト頭１１の径を２ｃｍ程度、厚さを０．５ｃｍ程度、ボルト頭１１からボルト軸１２先端まで長さを３ｃｍ程度、ボルト軸１２をＭ１２、即ち、雄ネジ径を１．２ｃｍとした鋼材の鍛造一体のものとし、ボルト頭１１からボルト軸１２の先端に至る貫通孔１３内面の雌ネジの内径を０．６ｃｍ、即ち、一般にこの種のスレート屋根に用いられるフックボルト２１の雄ネジ径に合せたものとしてある。
【００２１】
かぶせボルト１の上記スリット１５は、これを、ボルト頭１１の周方向に複数配置してあり、本例にあって該スリット１５は、ボルト頭１１の平面を４等分するように１／４円の角度に４条配置してあり、該スリット１５は、例えば２ｍｍ幅で、ボルト頭１１からボルト軸１２における中間位置、本例にあってはボルト軸１２の２／３程度の長さに至るように４条を同形同長のものとして、これを配置してある。
【００２２】
かぶせボルト１は、ボルト頭１１をリング状とするように全長に貫通孔１３を配置してその内面の長手方向全長乃至部分的、本例にあっては全長に雌ネジを配置したことによって、フックボルト２１のボルト軸を被嵌するとともに該ボルト軸の雄ネジに対して雌ネジによる螺装をなし得るようにしてあり、また、該かぶせボルト１は、上記スリット１５、本例にあっては４条のスリットを配置したことによって、フックボルト２１のボルト軸の被嵌螺装に際してかぶせボルト１を拡開して、その被嵌螺装を容易に行うことができる。
【００２３】
即ち、新築に際してそのスレート屋根に屋根設置物を据付設置する場合は問題ないとしても、既設のスレート屋根に屋根設置物を後付的に据付設置する場合には、フックボルト２１の屋根２上に突出したボルト軸が発錆乃至腐食していることも多く、この場合、該発錆したボルト軸は、例えばワイヤーブラシで発錆や腐食の部位の除去を行うものとするも、フックボルト２１の屋根締着用の固定ナット近傍のようにフックボルト２１長手方向に錆や腐食を完全に除去し得ないことによって軸径が径大化した部位が残ったとしても、かぶせボルト１のボルト頭１１を屋根２上に突出したフックボルト２１の先端、即ち、上端からフックボルト２１の、例えば固定ナット上乃至その近傍に向けて、圧入するように被嵌することによって、そのスリット１５を強制的に拡開して、該径大化した部位の被嵌をなし得るようにするとともに発錆や腐食の除去を行った部位やこれらのない部位のフックボルト２１の雄ネジに対して雌ネジによる螺装を行って、フックボルト２１の固定ナットにボルト頭１１を下向きに、ボルト軸１２を上向きにして、該フックボルト２１に対してかぶせボルト１の植立固定を行うものとしてある。
【００２４】
このようにボルト頭１１を下向きに、ボルト軸１２を上向きに植立固定することによって、かぶせボルト１のボルト頭１１は、これを、直接に又はこれに重合するようにボルト軸１２に螺装した重ねボルト３を屋根設置物の据付設置に使用する支持部材５の固定ベースとして、該支持部材５を載置し、ボルト軸１２に螺装した固定ナット１６によって該支持部材５を締着挟持してその固定を行うものとしてあり、このとき、本例にあっては、該支持部材５とともに該支持部材５上に、屋根設置物、例えば太陽電池モジュールの架台を固定するためのアングル材乃至チャンネル材４を載置して、支持部材５と該アングル材乃至チャンネル材４を上記固定ナット１６によって同時に締着挟持して、その固定を行うものとしてある。
【００２５】
このように構成し且つ用いるようにしたかぶせボルト１による屋根設置物の据付構造は、該かぶせボルト１を、その貫通孔１３に屋根材を葺設したフックボルト２１の屋根材上突出のボルト軸を被嵌螺装し且つ外周配置の雄ネジとこれに螺装した固定ナット１６によって支持部材５を締着固定して、該支持部材５に直接又は固定金具を介して屋根設置物を据付設置して行ったものとしてあり、本例にあって該据付設置は、例えば、屋根２突出のフックボルト２１に対して、屋根面側から上記かぶせボルト１、重ねボルト３、支持部材５、アングル材乃至チャンネル材４、ワッシャー６、かぶせボルト１の固定ナット１６の順に屋根面上方に向けて順次配置し、該アングル材乃至チャンネル材４に、本例にあって図示省略の架台、例えば傾斜架台を固定し、該架台に同じく図示省略の屋根設置物として太陽電池モジュールを載置固定して、その据付設置を行うようにしたものとしてある。
【００２６】
屋根設置物の据付設置に用いる本例の支持部材５は、例えばスレート屋根における波板の凹凸に応じてその凸部を被嵌するように該凸部に載置する一対の対向脚片５１と、該対向脚片５１を連結し上記かぶせボルト１のボルト軸１２を挿通する該ボルト軸１２より幾分径大の挿通孔５３を透設した天板５２と、上記対向脚片５１間に配置した上記波板の突部上に下端を載置乃至弾発的に載置して上記対向脚片５１と前後左右の４ヶ所で支持部材５を支承するようにした突部載置脚５４を備えたものとしてあり、本例にあって該支持部材５は、例えば肉厚２ｍｍの鋼材に折曲、穿孔等の加工を加えて形成した、例えば上記対向脚片の長さを１０ｃｍ程度、幅を波板の突部幅より僅かに幅広の４ｃｍ程度の鋼製の支持金具としてあり、このとき、該支持部材５の上記突部載置脚５４は、これを、上記加工に際して天板５２に長手方向両側から一対に切込みを入れ、該切込み部位を対向脚片側、即ち屋根側に切起しすることによって形成し、例えば幅を１ｃｍとした切起し形成の脚片としてある。該切起し形成の突部載置脚５４は、上記一対の対向脚片５１の高さより、その波板の突部の数ｍｍ乃至それ以下の呑込み寸法分を短寸化して対向脚片より幾分短寸とするとともに必要に応じて先端に対接片を配置したものとしてある。
【００２７】
従って、該支持部材５の上記かぶせボルト１による屋根２上への設置は、ボルト軸１２を天板５２の挿通孔５３に挿通するようにフックボルト２１に螺装したかぶせボルト１のボルト頭１１、本例にあっては該ボルト頭１１上に配置した重ねボルト３に天板５２下面を載置し、かぶせボルト１の固定ナット１６によって締着挟持してその屋根２上における固定を行ったものとしてある。
【００２８】
上記アングル材乃至チャンネル材４は、本例にあってこれを、上記かぶせボルト１のボルト軸１２より幾分径大の挿通孔４３を透設した基壁４１と、その一端から垂直に起立し、同じく連結用のボルトナット４４のボルト軸より幾分径大の挿通孔４３を透設した起立壁４２を備えてＬ字状としたアングル材を用い、起立壁４２同士を対接して連結用のボルトナット４４によってチャンネル材のようにＣ字状としたものを用い、下位のチャンネル材４の基壁４１の挿通孔４３にかぶせボルト１のボルト軸１２を挿通し、該基壁４１上で固定ナット１６を該ボルト軸１２に螺装することによって、上記支持部材５とともにその固定を行ったものとしてある。
【００２９】
このとき、屋根設置物、本例にあっては太陽電池モジュールを載置固定する架台、特に傾斜架台は、上位に配置したアングル材４の基壁４１に架台フレームの下枠を載置し、該上位のアングル材４の基壁４１の挿通孔４３にボルトを挿通し、該ボルトのボルト軸にナットを螺装することによって、アングル材４に対してボルト固定するようにしたものとしてある。
【００３０】
図中２２は、フックボルト２１の屋根２の突出部位を覆うように配置した既設屋根の防錆キャップを示す。
【００３１】
図示した例は以上のとおりとしたが、屋根設置物を据付設置する屋根を、既設建造物の既設屋根とし、また、新設建造物の新設屋根とすること、このとき該屋根を、上記スレート屋根に加えて、折板屋根、即ち、折板屋根材を端部で重合し、該重合部位の下面にタイトフレームを配置し、該折板屋根材とタイトフレームを、ボルト頭付きボルトを用いて、タイトフレームの下面にボルト頭を位置するようにボルト軸を貫通し、重合した折板屋根上に突出したボルト軸にナットを締着して葺設するように形成した折板屋根とし、該折板屋根を屋根設置物を据付設置する屋根として、ナットを締着した該ナット上に突出したボルト軸にかぶせボルトを被嵌螺装したものとすること、かぶせボルトをスリットのないものとすること、かぶせボルトにスリットを配置するとき、該スリットを単一のものとし、また、２乃至３ヶ所のように複数のものとすること、同じくスリットを配置するとき、スリットの長さ、幅をその数に合せたものとして、スリット配置による拡開程度をかぶせボルトの被嵌螺装に適したものとすること、かぶせボルトを、ボルト頭を省略して貫通孔を有するすりわり付きや六角穴付きの止めネジ状の形状のものとすること、同じくかぶせボルトを、長手方向中間に六角外形等のレンチによる回転部を有する植え込みボルト状の形状のものとすること、折板、スレート等屋根に据付設置する屋根設置物を、上記太陽電池モジュールの他、例えば緑化ベースとして屋根植栽用のものとすること等を含めて、本発明の実施に当って、屋根、屋根設置物、かぶせボルト、支持部材、必要に応じて用いるボルト頭、スリット、固定ナット、該かぶせボルトを用いた屋根設置物据付構造等の各具体的形状、構造、材質、数、これらの関係、これらに対する付加等は、上記発明の要旨に反しない限り様々な形態のものとすることができる。
【符号の説明】
【００３２】
１  かぶせボルト
１１  ボルト頭
１２  ボルト軸
１３  貫通孔
１４  雄ネジ
１５  スリット
１６  固定ナット
２  屋根
２１  フックボルト
２２  防錆キャップ
３  重ねボルト
４  アングル材
４１  基壁
４２  起立壁
４３  挿通孔
４４  ボルトナット
５  支持部材
５１  対向脚片
５２  天板
５３  挿通孔
５４  突部載置脚
６  ワッシャー
【図１】
2013053410.tif 000003
【図２】
2013053410.tif 000004
【図３】
2013053410.tif 000005
【図４】
2013053410.tif 000006
【図５】
2013053410.tif 000007
【図６】
2013053410.tif 000008
【図７】
2013053410.tif 000009
【図８】
2013053410.tif 000010